(57)【要約】【課題】バックライト装置を分割した各ブロックの内部に明暗差を設けることでバックライトブロックの境界との輝度差を緩和又は目立たなくすること。【解決手段】ＬＥＤ又は蛍光管を含む発光源と、発光源からの光線を液晶パネル側に導く導光板と、導光板の裏面に配置された反射シートと、をそれぞれ有するバックライトブロック４を、複数個並置して組み合わせたバックライト装置であって、バックライトブロック４から出射される輝度に明暗差の出る明暗差パターンである輝度暗部１２と輝度中明暗部１３を形成し、バックライトブロック４からの明暗差パターンの輝度むらによって、バックライトブロック間の境界から出る輝度の明るい明パターンである輝度明部１１の輝度を目立たなくすること。【選択図】図４
2010205504.tif 000002
【特許請求の範囲】
【請求項１】
ＬＥＤ又は蛍光管を含む発光源と、前記発光源からの光線を液晶パネル側に導く導光板と、前記導光板の裏面に配置された反射シートと、をそれぞれ有するバックライトブロックを、複数個並置して組み合わせたバックライト装置であって、
前記バックライトブロックから出射される輝度に明暗差の出る明暗差パターンを形成し、
前記バックライトブロックからの明暗差パターンの輝度むらによって、前記バックライトブロック間の境界から出る輝度の明るい明パターンの輝度を目立たなくする
ことを特徴とするバックライト装置。
【請求項２】
請求項１において、
前記バックライトブロックからの輝度明暗差パターンは、前記バックライトブロックの境界からの輝度よりも暗く且つ輝度の一様な第１の輝度パターンと、前記第１の輝度パターンの輝度よりも明るい第２の輝度パターンと、から構成される
ことを特徴とするバックライト装置。
【請求項３】
請求項２において、
前記第２の輝度パターンは、前記発光源の配列方向と並行であって、且つ周囲よりも高い粗密度の凹凸面から生じるパターンである
ことを特徴とするバックライト装置。
【請求項４】
請求項２において、
前記第２の輝度パターンを生じる構成は、前記第１の輝度パターンを生じる前記バックライトブロック表面の粗密度よりも高い粗密度の凹凸面をもつ楕円形、円形、長方形、又は正方形が、前記発光源の配列方向と並行に点在する構造である
ことを特徴とするバックライト装置。
【請求項５】
請求項３または４において、
前記第２の輝度パターンを生じる凹凸面は、前記導光板における液晶パネル側の表面に形成する
ことを特徴とするバックライト装置。
【請求項６】
請求項３または４において、
前記第２の輝度パターンを生じる凹凸面は、前記導光板における前記反射シート側の裏面、または前記反射シートに形成する
ことを特徴とするバックライト装置。
【請求項７】
請求項３または４において、
前記第２の輝度パターンを生じる凹凸面は、メンディングテープを貼り付けることによって形成する
ことを特徴とするバックライト装置。
【請求項８】
請求項３または４において、
前記第２の輝度パターンを生じる凹凸面に代えて、前記バックライトブロックにプリズム部、凸レンズ、又は凹レンズを配列する
ことを特徴とするバックライト装置。
【請求項９】
ＬＥＤ又は蛍光管を含む発光源と、前記発光源からの光線を液晶パネル側に導く導光板と、前記導光板の裏面に配置された反射シートと、をそれぞれ有するバックライトブロックを、複数個並置して組み合わせたバックライト装置であって、
前記バックライトブロックから出射される輝度について、一様ではなく明暗の輝度分布を形成させ、
前記明暗の輝度分布による輝度むらによって、前記バックライトブロック間の境界からの輝度の暗い暗パターンの輝度を目立たなくする
ことを特徴とするバックライト装置。
【請求項１０】
請求項１ないし９のいずれか１つの請求項に記載されたバックライト装置と、拡散板、拡散シート、偏向フィルムをもつ光学シート類と、液晶パネルと、から構成される映像表示装置。
【請求項１１】
請求項３または４に記載された前記高い粗密度の凹凸面を前記バックライト装置に形成することに代えて、前記高い粗密度の凹凸面をバックライト装置と液晶パネルとの間に介在された光学シート類に対して形成する光学シート類と、バックライト装置と、液晶パネルと、を備えた映像表示装置。
【請求項１２】
発光源と、前記発光源からの光線を液晶パネル側に導く導光板と、前記導光板の裏面に配置された反射シートと、をそれぞれ有するバックライトブロックを、複数個並置して組み合わせたバックライト装置を備えた映像表示装置であって、
前記各バックライトブロックにおける前記導光板のそれぞれに、光を拡散させるための要素を、前記バックライトブロック間の境界とほぼ平行な方向に複数形成したことを特徴とする映像表示装置。
【請求項１３】
請求項１２に記載の映像表示装置において、前記光を拡散させるための要素が、前記導光板の表面或いは裏面に形成されることを特徴とするバックライト装置。
【請求項１４】
請求項１２または１３に記載の映像表示装置において、前記光を拡散させるための要素は、粗面、凹凸面、プリズム面、凹レンズまたは凸レンズであることを特徴とするバックライト装置。
【発明の詳細な説明】
【技術分野】
【０００１】
本発明は、液晶用バックライト装置の消費電力低減のため、バックライト装置を分割した各ブロック毎に調光するエリア調光を行うバックライト装置に関する。
【背景技術】
【０００２】
近年の省電力規制に対応するため、液晶用バックライト装置においても消費電力低減が求められている。そのため、バックライト装置を複数のブロックに分割し、各ブロック毎に調光するエリア調光（ローカルディミング）が実用化されてきている。そして、大きな発光エリアを持つ面光源装置として、分割した導光ブロックをタンデム配置した従来技術が、例えば特許文献１に開示されている。これによると、各導光ブロック毎に配置された一次光源としての蛍光管の両端と中央部での輝度差を勘案して、一次光源の両端の電極部による輝度不足の発生を防止するために、隣り合う導光ブロックの重畳部は、切り欠いた舌状重畳部を形成することが示されており、さらに、一次光源の両端の電極部を湾曲させてこの湾曲した電極部を導光ブロックの範囲外に配置することが示されている。
【０００３】
また、大型液晶ディスプレイにおけるバックライトは、縦横に分割したバックライトユニットを組み合わせて形成され、各バックライトユニットの接合部分に輝度ムラが発生することを防止するために、導光板を含むバックライトと、拡散板及び液晶パネルとの間において、透明アクリル板を介在させたり、所要の空間を保持したりすることが開示されている（例えば、特許文献２）。
【先行技術文献】
【特許文献】
【０００４】
【特許文献１】特開平１１−２８８６１１号公報
【特許文献２】特開２００４−２６５６３５号公報
【発明の概要】
【発明が解決しようとする課題】
【０００５】
しかしながら、上述した従来のバックライトにおいては、ブロック又はバックライトユニットを配列する際に、位置ずれなどによってブロック又はバックライトユニットの境界から光が漏れて輝線になったり、逆に光が不足して暗線になってしまうという不都合が生じる。この不都合を回避するために、上記特許文献１，２では、隣り合う導光ブロックに加工を施したり、発光源の形状を改変したり、さらに、導光板の上方部に拡散用のアクリル板を設置したりして、特別の構造体を準備する必要があった。さらに、従来技術ではブロックの内部については、その輝度が一様になるようにしているため、境界の輝度線がかえって目立ってしまうという課題があった。
【０００６】
本発明は、バックライト装置を分割した各バックライトブロックの内部に輝度の明暗差パターンを設けることで、バックライトブロックの境界との輝度差を緩和又は目立たなくするバックライト装置を提供することにある。
【課題を解決するための手段】
【０００７】
前記課題を解決するために、本発明は主として次のような構成を採用する。
【０００８】
発光源と、前記発光源からの光線を液晶パネル側に導く導光板と、前記導光板の裏面に配置された反射シートと、をそれぞれ有するバックライトブロックを、複数個並置して組み合わせたバックライト装置であって、前記バックライトブロックから出射される輝度に明暗差の出る明暗差パターンを形成し、前記バックライトブロックからの明暗差パターンの輝度むらによって、前記バックライトブロック間の境界から出る輝度の明るい明パターンの輝度を目立たなくする構成とする。
【０００９】
また、前記バックライト装置において、前記バックライトブロックからの輝度明暗差パターンは、前記バックライトブロックの境界からの輝度よりも暗く且つ輝度の一様な第１の輝度パターンと、前記第１の輝度パターンの輝度よりも明るい第２の輝度パターンと、から構成されること。さらに、前記第２の輝度パターンは、前記発光源の配列方向と並行であって、且つ周囲よりも高い粗密度の凹凸面から生じるパターンであること。さらに、前記第２の輝度パターンを生じる構成は、前記第１の輝度パターンを生じる前記バックライトブロック表面の粗密度よりも高い粗密度の凹凸面をもつ楕円形、円形、長方形、又は正方形が、前記発光源の配列方向と並行に点在する構造であること。
【００１０】
また、前記バックライト装置において、前記第２の輝度パターンを生じる凹凸面は、前記導光板における液晶パネル側の表面に形成すること。さらに、前記第２の輝度パターンを生じる凹凸面は、前記導光板における前記反射シート側の裏面、または前記反射シートに形成すること。さらに、前記第２の輝度パターンを生じる凹凸面は、メンディングテープを貼り付けることによって形成すること。さらに、前記第２の輝度パターンを生じる凹凸面に代えて、前記バックライトブロックにプリズム部、凸レンズ、又は凹レンズを配列すること。
【発明の効果】
【００１１】
本発明によれば、バックライトブロックの内部に形成させた明暗差パターンによって輝度むらが全体的にぼやけるため、バックライトブロック内部とバックライトブロックの境界の輝度差が視認し難くなり、境界との輝度を目立たなくすることができる。
【図面の簡単な説明】
【００１２】
【図１】本発明の実施形態に係るバックライト装置を有する液晶ディスプレイ（ＬＣＤ）の全体構成の概略を示す分解図である。
【図２】本実施形態に係るバックライト装置を複数個に分割したバックライトブロックを示す図である。
【図３】本実施形態に関するバックライトブロックの内部構成とバックライトブロックを含む液晶ディスプレイの断面図である。
【図４】本実施形態に係るバックライト装置からの輝度明暗分布を意図的に発生させるためのパターン形成例を複数のバックライトブロックに亘って説明する図である。
【図５】従来技術に関するバックライト装置からの輝度について、バックライトブロックの境界とバックライトブロック内部との間で輝度差が発生する状況を複数のバックライトブロックに亘って説明する図である。
【図６】本実施形態に関する液晶ディスプレイからの輝度明暗分布をバックライトブロック内部で生じさせるためのパターンの形成例をバックライトブロック別に示す説明図である。
【図７】本実施形態に関する輝度明暗分布を意図的に生じさせるパターン形状の配置例を示す説明図である。
【図８】本実施形態に関する輝度明暗分布を意図的に生じさせるパターン形状の他の配置例を示す説明図である。
【図９】本実施形態に関する輝度明暗分布を意図的に生じさせるパターン形状のさらに他の配置例を示す説明図である。
【図１０】本実施形態に関する輝度明暗分布を意図的に生じさせるパターン形状の具体例を示す説明図である。
【発明を実施するための形態】
【００１３】
本発明の実施形態に係るバックライト装置について、図１〜図１０を参照しながら以下詳細に説明する。まず、本実施形態に係るバックライト装置を映像表示装置に適用した全体構成について、図１〜図３を参照しながらその概略を説明する。図１は本発明の実施形態に係るバックライト装置を有する液晶ディスプレイ（ＬＣＤ）の全体構成の概略を示す分解図であり、図２は本実施形態に係るバックライト装置を複数個に分割したバックライトブロックを示す図であり、図３は本実施形態に関するバックライトブロックの内部構成とバックライトブロックを含む液晶ディスプレイの断面図である。
【００１４】
図面において、１は液晶パネル、２は光学シート類、３はバックライト装置、４はバックライトブロック、５は導光板、６はＬＥＤ基板、７はＬＥＤ、８は反射シート、をそれぞれ表す。
【００１５】
映像表示用のディスプレイとして普及している液晶パネル１を用いた透過型の液晶ディスプレイ（ＬＣＤ：Ｌｉｑｕｉｄ  Ｃｒｙｓｔａｌ  Ｄｉｓｐｌａｙ）は、その全体構成として、液晶パネル１と、拡散板、拡散シート、偏光板、偏向フィルム等を含む光学シート類２と、バックライト装置３と、を備えている。バックライト装置３は、複数のバックライトブロック４を平面上にマトリックス状に組み合わせて配置し形成されており、大型のバックライト装置３において均一の輝度を得るようにしている。液晶ディスプレイでは、液晶パネル１の背面側から光を照射するためにバックライト装置３が必要であり、このバックライト装置３は、その構造によって、直下式とサイドライト（エッジライト）方式に分けられる。
【００１６】
本発明の実施形態に係るバックライト装置３では、サイドライト方式を採用し且つ複数のバックライトブロック４に分割された構造を対象とするものである。図３を参照すると、バックライト装置１は、基本的には、ＬＥＤ基板に設置された発光源としてのＬＥＤ（Ｌｉｇｈｔ  Ｅｍｉｔｔｉｎｇ  Ｄｉｏｄｅ）７と、ＬＥＤから入射した光を有効に液晶パネル１に導くための導光板５と、導光板５の裏面に設けられて導光板５の裏面からの光を反射する反射シート８と、を備えている。図３に示す構成例において、バックライトブロック４は矩形状に形成されていて、その長手方向（図３で紙面の左から右）にＬＥＤ７からの光が進んでいきバックライトブロック４の裏面（反射シート側）で反射されて液晶パネル１に光が進む。ＬＥＤ７は、バックライトブロック４の短辺側（図３で紙面の鉛直方向）に複数個適宜の間隔で配列されている。なお、本実施形態においては、発光源をＬＥＤとして説明するが、これに限らず蛍光管でもよい。また、ＬＥＤ７のバックライトブロック４の長辺側に配列してもよい。
【００１７】
次に、本発明の実施形態に係るバックライト装置におけるバックライトブロックの境界の輝度とバックライトブロック内部の輝度との輝度差を緩和し、境界からの明るさを目立たなくする技術について、図４と図５を参照しながら本発明の基本的な概念を説明する。図４は本実施形態に係るバックライト装置からの輝度明暗分布を意図的に発生させるためのパターン形成例を複数のバックライトブロックに亘って説明する図であり、図５は従来技術に関するバックライト装置からの輝度について、バックライトブロックの境界とバックライトブロック内部との間で輝度差が発生する状況を複数のバックライトブロックに亘って説明する図である。図面において、１１は輝度明部、１２は輝度暗部、１３は輝度中明暗部、２１は輝度明部、２２は輝度暗部、をそれぞれ表す。なお、ここでは、上記輝度差（輝度明暗差あるいは輝度むら）は、バックライト装置３から照射された光を、拡散板等を含む光学シート類２の光出射側から見たときの輝度差であるものとする。従来技術を示す図５をみると、複数のバックライトブロック４を縦横に配列してバックライト装置３を形成する際に、配列の位置ずれ等によってバックライトブロック４の境界に隙間ができてその隙間から光が漏れて輝線が生じ、図５に示すように輝度明部２１が発生する。また逆に、バックライトブロックの配列位置ずれによって光が不足して暗線になる場合もあり得る。図５では光が漏れて輝線が生じる場合を例示している。
【００１８】
そして、バックライトブロックの内部は輝度が一様になるようにされていて、図５では輝度暗部２２を形成している。なお、図５ではバックライトブロックの内部が輝度暗部２２であるして表記しているが、輝度暗部２２は境界の輝度明部２１と比較して輝度が暗いと云うことであってこの内部を暗くしているということではない。図５に示す従来の輝度分布によると、バックライトブロック４の境界の輝度の明るさ２１が、バックライトブロック内部の一様な輝度暗部２２との対比で、目立ってしまうと云う不都合が生じていた。
【００１９】
そこで、本発明の実施形態に係るバックライト装置では、そのバックライトブロック内部に意識的に輝度の明暗差を形成して、輝度むらが全体的に及ぶことによって、バックライトブロックの境界における線状或いは格子状の明るい（または暗い）輝度部分を緩和させること、すなわち視覚的に認識させづらくすることを特徴とするものである。図４に示す本発明の実施形態では、バックライトブロック４の内部に、輝度暗部１２と輝度中明暗部（輝度明部１１に比べるとやや暗いが輝度暗部１２に比べると明るい部分）１３とを交互に配置した構成例である。すなわち、バックライトブロック４の内部に輝度の明暗差を設けて、バックライトブロック４の境界の輝度明部１１との輝度差を緩和している。なお、境界で暗線が生じる場合には、この暗線を目立たなくさせるために、バックライトブロック４における輝度明暗差を形成するために、バックライトブロックの一様な輝度面１２よりも暗く且つ上記の暗線よりも明るいパターンを設ければよい。
【００２０】
このように、本発明の実施形態では、バックライトブロック４の内部に輝度の明暗差を設けることによって、その境界を含めて輝度むらがバックライト３全体でぼやけるために、バックライトブロック４の境界の輝度明部１１が視認し難くなる。このようにして、境界の輝度の明るさ１１が目立たなくなる現象は、例えばメンディングテープ（Ｍｅｎｄｉｎｇ  Ｔａｐｅ）を導光板５の表面５１（図７を参照）に部分的に貼り付けて、図４に示す輝度暗部１２の間に輝度中明暗部１３を設けることによって、実験的に確認することができる。メンディングテープの表面に形成された密度の濃い凹凸面に進入した光が液晶パネル１の方向（前方向）に確率高く進むことによって、このテープを添付していない部分に比べて明るい輝度が得られる。このように、メンディングテープの部分的な貼り付けによってバックライトブロック４内部の輝度明暗差を形成することができる。
【００２１】
なお、上述した輝度の明暗差は、上記の導光板５で形成することに限らず、反射シート８、光学シート類２にパターンを形成することによっても実現することができる。
【００２２】
次に、本実施形態に係るバックライト装置３のバックライトブロック４に輝度明暗差を形成する具体的な構成例について、図６〜図１０を参照しながら以下説明する。図６は本実施形態に関する輝度明暗分布をバックライトブロック内部で生じさせるためのパターンの形成例をバックライトブロック別に示す説明図であり、図７は本実施形態に関する輝度明暗分布を意図的に生じさせるパターン形状の配置例を示す説明図であり、図８は本実施形態に関する輝度明暗分布を意図的に生じさせるパターン形状の他の配置例を示す説明図であり、図９は本実施形態に関する輝度明暗分布を意図的に生じさせるパターン形状のさらに他の配置例を示す説明図であり、図１０は本実施形態に関する輝度明暗分布を意図的に生じさせるパターン形状の具体例を示す説明図である。
【００２３】
図面において、１５は輝度明部、１６は輝度暗部、１７は輝度中明暗部、３１は導光板表面平坦部、３２は導光板表面密凹凸面部、３３は導光板表面粗加工部、３４は導光板表面密凹凸面部、３５は導光板表面平坦部、３６は導光板表面プリズム部、４１は輝度暗部、４２は輝度中明暗部、５１は導光板表面、５２は導光板裏面、をそれぞれ表す。
【００２４】
図６によると、バックライトブロック４の内部に、楕円形の輝度中明暗部１７を形成している。この輝度中明暗部１７は、導光板５の表面５１（図７を参照）に細かい又は密な凹凸面が形成され、いわゆるざらざら面（粗面）が形成される。この楕円形のざらざら面は、導光板５の、ＬＥＤ７の配列方向と平行な方向（本例では導光板５の短手方向）に複数配列されて一つの輝度中明暗部領域を形成し、この領域をＬＥＤ７の配列方向と直交する方向（本例では導光板５の長手方向）に２つ以上設けている。これによって、このざらざら面がこの周囲の面よりも前方に進む光量を多くする機能を果たして明るい輝度を生じさせる。バックライトブロック４の境界を含めたバックライト装置３全体をみると、輝度中明暗部１７の存在によって、このバックライト装置３から前方に発する輝度の明暗分布にばらつき又は不規則性が生じることとなり、輝度の明暗の度合いが視認し難くなる（境界の明るさが目立たなくなる）。図６に示すように、楕円形状に限らず、円形状、長方形状、円形状であってもよく、また、隣り合う輝度中明暗部１７の個数（図６の例で紙面縦方向の数）を２個と３個というように異ならせてもよい。要は、輝度暗部１６との間で輝度差の不規則性が生じるように、輝度中明暗部１７を形成すればよい。
【００２５】
図７〜図９には、バックライトブロック４に輝度中明暗部１７を形成する具体例を示しており、図７によると、バックライトブロック４に対応する導光板５の表面（液晶パネル１の側）５１は略平坦な面３１を形成しているが、この平坦面３１に部分的に密度の濃い凹凸面３２を形成（平坦面表面５１から窪みを穿って凹面３２を形成）している。この凹凸面３２によって液晶パネル１の側への前方光が多くなって周囲よりも明るい輝度を生じる。
【００２６】
また、図８によると、導光板５の表面５１には液晶パネル１への前方光を多くするために凹凸面３３を形成し、さらに、この凹凸面３３よりもさらに高密度の凹凸面３４を形成してこの凹凸面３４による輝度を周囲よりも明るくして、バックライトブロック４の内部の輝度明暗差を設けている。因みに、バックライトブロック４の境界として、図８では紙面の左右端部を例示して、この左右端部で輝度明部１１（図４を参照）が生じることによる輝度明暗差を緩和するために、紙面左右方向の２箇所に輝度中明暗部１３を形成しているが、バックライトブロック４の境界は図２からも分かるように、図示例で左右に限らず、上下においても境界が存在しており、この境界でも位置ずれによって輝度明部１１を形成することもあり、この場合には、図４に示す考え方を適用して、当該境界による輝度を目立たなくするように輝度中明暗部１３を形成すればよい。
【００２７】
また、図９によると、導光板５の平坦な表面３５に部分的にプリズム部３６を形成し、このプリズム部３６により液晶パネル１の側への前方光を多くして周囲よりも明るくして輝度中明暗部１３（図４を参照）を形成している。導光板５の平坦面３５のプリズム部３６に代えて、凸レンズを設けてもよく、また、凹レンズを埋設してもよく、プリズム部３６と同様な効果を奏させればよい。図７〜図９に示す構成例において、凹凸面（ざらざら面）３２，３４、プリズム面３６あるいは凸レンズ、凹レンズは、図示されるように、図８に示した例と同様にＬＥＤ７の配列方向と直交する方向（本例では導光板５の長手方向）に２つ以上設けている。
【００２８】
図７〜図９に示す構成例では、導光板５の表面に、ＬＥＤ７の配列方向と平行な方向に高密度の凹凸面（ざらざら面）３２，３４又はプリズム面３６を加工又は設置している。これら凹凸面（ざらざら面）３２，３４又はプリズム面、あるいは凸レンズ、凹レンズは、導光板の表面に限らず、裏面５２でもよいし、またその両方の面に形成してもよい。さらに、この凹凸面の加工等による輝度明暗のパターンは、導光板５の上方に配された既設の拡散シートなどに形成してもよい。また，拡散シート類の透過率を局所的に変化させることにより、輝度明暗パターンを形成してもよい。図１０は本実施形態に関する輝度明暗分布を意図的に生じさせるパターン形状の具体例を示し、図６に示す変形例である。これによると、楕円形の輝度中明暗部１７（図６を参照）が高密度の凹凸面を形成することに代えて、当該楕円形の内部構造として、その周囲と同様の輝度暗部４１と、多数の円形又は楕円形の輝度中明暗部４２と、から構成している。このように構成することによって、バックライトブロック４の内部の輝度明暗差に不規則性を持たせることによって、境界の輝度明部１１（図４を参照）を目立たなくさせている。すなわち、バックライトブロック４の境界の輝度明るさが目立つことを軽減しているのである。
【００２９】
上記実施形態において、上記粗面（ざらざら面）、凹凸面、プリズム面、凹レンズまたは凸レンズ等、導光板５の表面５１に明部を付与するための要素（以下、「明部付与要素」と称する）を導光板５の表面５１においてＬＥＤ７の配列方向と平行な方向（本実施例では導光板５の短手方向）に延びるように形成されており、またこの明部付与要素がＬＥＤ７の配列方向と直交する方向（本実施例では導光板５の短手方向であって、ＬＥＤ７からの光の導光板５内の進行方向）に２つ以上配列されている。このように構成すれば、導光板５の表面５１において、バックライトブロック４の境界部分における輝度明部（または輝度暗部）の周期よりも短い周期の輝度差（輝度むら）を生成することができるので、バックライトブロック４の境界部分における輝度明部（または輝度暗部）視覚的に認識されづらくなる。
【００３０】
２つ以上の明部付与要素における各輝度の極大点同士の間隔は、おおよそ１〜３ｃｍ程度が好ましく、更にまた、当該極大点同士の間隔は、導光板５の表面５１から光学シート類２の入射面（導光板５に最も近い位置に配置されている拡散板の入射面）までの距離の２倍以上であることが好ましい。また、明部付与要素を通した光と導光板５表面５１の明部付与要素以外の部分から出射された光の輝度差が、バックライトブロック４の境界部分における輝度明部（または輝度暗部）と導光板５表面５１の明部付与要素以外の部分から出射された光の輝度差の５０％以上とすることがより好ましい。これらの条件を満たすように明部付与要素を形成すれば、よりバックライトブロック４の境界部分における輝度明部（または輝度暗部）を目立たなくさせることができる。
【００３１】
また、上記光を拡散するための要素を導光板５の表面においてＬＥＤ７の配列方向と直交する方向に設ければ、ＬＥＤ７の配列方向と直交な方向（図２の紙面左右方向）に生じるバックライトブロック４の境界における輝度明部（または輝度暗部）が視覚的に認識されづらくなる。当然、上記光を拡散するための要素をＬＥＤ７の配列方向と平行な方向と直交する方向の両方に設けてもよい。
【００３２】
上記実施形態の構成によれば、バックライトブロック４の境界間における輝度明部または輝度暗部を目立たなくさせることが可能となるが、上記境界以外の、バックライトブロック４内に生じる輝度明部または輝度暗部も同様に目立たなくさせることも可能となる。
【符号の説明】
【００３３】
１  液晶パネル
２  光学シート類
３  バックライト装置
４  バックライトブロック
５  導光板
６  ＬＥＤ基板
７  ＬＥＤ
８  反射シート
１１  輝度明部
１２  輝度暗部
１３  輝度中明暗部
１５  輝度明部
１６  輝度暗部
１７  輝度中明暗部
２１  輝度明部
２２  輝度暗部
３１  導光板表面平坦部
３２  導光板表面密凹凸面部
３３  導光板表面粗加工部
３４  導光板表面密凹凸面部
３５  導光板表面平坦部
３６  導光板表面プリズム部
４１  輝度暗部
４２  輝度中明暗部
５１  導光板表面
５２  導光板裏面
【図１】
2010205504.tif 000003
【図２】
2010205504.tif 000004
【図３】
2010205504.tif 000005
【図４】
2010205504.tif 000006
【図５】
2010205504.tif 000007
【図６】
2010205504.tif 000008
【図７】
2010205504.tif 000009
【図８】
2010205504.tif 000010
【図９】
2010205504.tif 000011
【図１０】
2010205504.tif 000012